(57)【要約】【課題】可撓性の表示装置が撓むのを防ぐ。【解決手段】カメラ本体１１内部には、モニタ６９の巻き取り／繰り出しを行う巻取／繰出機構１５が設けられており、巻取／繰出機構１５のＸ２方向への回転により、モニタ６９がカメラ本体１１の背面Ｙ１方向に繰り出されるか、Ｘ１方向への回転により、カメラ本体１１内に巻き取られて収納される。支持体６７に挿通されたワイヤ６０は、ワイヤ巻取機構６１により巻回されることでモニタ６９の繰り出し方向Ｙ１と逆の方向Ｙ２に張力が加えられる。これにより、モニタ６９の巻回により生じた巻き癖を除去し、撓んだモニタ６９が本体１１と接触して損傷するのを防げる。【選択図】  図７
2006229906.tif 000002
【特許請求の範囲】
【請求項１】
被写体を撮像する撮像部と、
前記撮像部により撮像された被写体を表示する可撓性の表示装置と、
前記表示装置を本体内に巻回又は本体外に繰り出す巻回／繰出機構と、
前記表示装置のカールを除去するカール除去機構と、
前記巻回／繰出機構による前記表示装置の巻回又は繰り出しと前記カール除去機構によるカール除去との連動を制御する制御部と、
を備える撮像装置。
【請求項２】
前記カール除去機構は、
前記表示装置の先端部に取り付けられたワイヤと、
前記ワイヤに張力を発生させる張力発生機構と、
を備え、
前記制御部は前記巻回／繰出機構によって前記表示装置が繰り出されることに連動して前記張力伝達機構が張力を発生するよう制御する請求項１に記載の撮像装置。
【請求項３】
前記張力発生機構は前記ワイヤを巻回するワイヤ巻回機構である請求項２に記載の撮像装置。
【請求項４】
前記カール除去機構は前記表示装置の繰り出し方向に沿って前記本体に設けられた凹状のガイド溝であり、
前記ガイド溝は前記表示装置の側部と嵌合することにより前記表示装置の繰り出し方向を案内する請求項１に記載の撮像装置。
【請求項５】
前記カール除去機構は前記表示装置の表示面の裏面に貼着され、復元力により前記表示装置の繰り出し方向と直交する断面が湾曲状に反ることにより前記表示装置を繰り出し方向に直線化する支持体である請求項１に記載の撮像装置。
【発明の詳細な説明】
【技術分野】
【０００１】
本発明は撮像装置に係り、特にカメラ本体に巻回されて収納された可撓性の画像表示装置をカメラ本体から自動的に繰り出すことができる撮像装置に関する。
【背景技術】
【０００２】
従来、可撓性の表示画面を巻き取ってカメラ本体に収納しておき、必要に応じて表示画面を本体から繰り出す技術がある。特許文献１のデジタルカメラは、撮影レンズを保護するレンズカバーをカメラ前面部で開閉移動可能に設けると共に、前記レンズカバーの上端近傍に連結杆を突出配置する。カメラ本体内に渦巻ばねで付勢された巻芯に巻き取られるように可撓シート状の有機ＥＬ表示部材を格納配置し、ＥＬ表示部材の一端を前記連結杆に結合し、カメラ使用時にレンズカバーの開放露出位置への移動に連動させて、連結杆を介してＥＬ表示部材をカメラ背面部の露出配置部に引き出すように構成する。
【特許文献１】特開２００３−３０９７４４号公報
【発明の開示】
【発明が解決しようとする課題】
【０００３】
特許文献１の技術では、レンズカバーを開かないとＥＬ表示部材を露出することができないが、デジタルカメラには、撮像レンズのピント調節、ズームレンズのテレ／ワイド端への移動などを駆動するモータが備えられていることが通常であり、この駆動力をＥＬ表示部材の繰り出し／巻き取りに用いることで自動的な繰り出し／巻き取りを実現することが考えられる。
【０００４】
さらに、ＥＬ表示部材に表示する画像のサイズやアスペクト比に適合した表示面積を確保するため、ＥＬ表示部材の露出面積を可変にすることが考えられる。特許文献１の技術では、レンズカバーの可動範囲を超えてＥＬ表示部材の露出面積を可変にすることはできない。カメラ本体の寸法よりも大きくＥＬ表示部材が露出するようにするためには、ロールスクリーンのようにＥＬ表示部材の一端を自由端にして繰り出すことが考えられる。
【０００５】
しかし、ＥＬ表示部材は巻き取られて格納されているため、その先端部分が巻き癖により撓み、表示面が見づらくなったり、ＥＬ表示部材の繰り出しの際、カメラ本体と接触してＥＬ表示部材が損傷するおそれがある。本発明はこのような問題点に鑑みてなされたもので、可撓性の表示装置を自動的に本体から引き出す際に表示装置が撓むのを防ぐことを目的とする。
【課題を解決するための手段】
【０００６】
上記課題を解決するため、本発明の撮像装置は、被写体を撮像する撮像部と、前記撮像部により撮像された被写体を表示する可撓性の表示装置と、前記表示装置を本体内に巻回又は本体外に繰り出す巻回／繰出機構と、前記表示装置のカールを除去するカール除去機構と、前記巻回／繰出機構による前記表示装置の巻回又は繰り出しと前記カール除去機構によるカール除去との連動を制御する制御部と、を備える。
【０００７】
この撮像装置によると、表示装置の本体外への繰り出しに連動して表示装置のカールが除去されるため、撓んだ表示装置が本体と接触して損傷することを防げる。
【０００８】
好ましくは、前記カール除去機構は、前記表示装置の先端部に取り付けられたワイヤと、前記ワイヤに張力を発生させる張力発生機構と、を備え、前記制御部は前記巻回／繰出機構によって前記表示装置が繰り出されることに連動して前記張力伝達機構が張力を発生するよう制御する。
【０００９】
前記張力発生機構は前記ワイヤを巻回するワイヤ巻回機構である。
【００１０】
また、好ましくは、前記カール除去機構は前記表示装置の繰り出し方向に沿って前記本体に設けられた凹状のガイド溝であり、前記ガイド溝は前記表示装置の側部と嵌合することにより前記表示装置の繰り出し方向を案内する。
【００１１】
また、好ましくは、前記カール除去機構は前記表示装置の表示面の裏面に貼着され、復元力により前記表示装置の繰り出し方向と直交する断面が湾曲状に反ることにより前記表示装置を繰り出し方向に直線化する支持体である。
【発明の効果】
【００１２】
この撮像装置によると、表示装置の本体外への繰り出しに連動して表示装置のカールが除去されるため、撓んだ表示装置が本体と接触して損傷することを防げる。
【発明を実施するための最良の形態】
【００１３】
以下、添付した図面を参照し本発明の好ましい実施の形態を説明する。
【００１４】
＜第１実施形態＞
図１は、本発明の好ましい実施形態に係るカメラ１０の外観斜視図である。このカメラ１０は、筐体であるカメラ本体１１から前方へ突出したレンズ鏡胴であるレンズ部１４を備えており、不使用時にはレンズ部１４がカメラ本体１１内に沈胴されるよう構成された沈胴式カメラである。
【００１５】
カメラ１０の背面には、ファインダー５０及びモニタ６９が設けられ、操作部１５７として、シャッターボタン８０、電源スイッチ８２、モード切替スイッチ８４、アスペクト比切替スイッチ８５が設けられている。ファインダー５０は、電子ビューファインダーで構成されるが、このファインダー５０を光学式ファインダーに置換する態様も可能である。
【００１６】
モニタ６９は、撮影時に画角確認用の電子ファインダーとして使用できるとともに、撮影した画像のプレビュー画やメモリカード等の外部記録装置から読み出した再生画像等を表示する表示手段である。更にモニタ６９には、撮影可能枚数（コマ数）や再生コマ番号の表示、マクロモード表示、記録画質（クオリティー）表示、画素数表示等の情報を表示することができる。撮影者はファインダー５０又はモニタ６９に映し出される映像（スルー画像）を見て画角を調整することができる。モニタ６９は、有機ＥＬディスプレイ（organic electroluminescence display）などの可撓性の表示装置で構成されており、長尺状の形状を有している。
【００１７】
図２は、レンズ部１４を本体１１に収納した状態のカメラ１０の外観斜視図である。レンズ部１４は、電源スイッチ８２がオフに切り替えられることに応じて本体１１内に沈胴されて収納される。また、電源スイッチ８２がオフに切り替えられると、可撓性のモニタ６９は、本体１１内に設けられた後述する巻取／繰出機構１５により、本体１１に開口されたスリット１１ａから本体１１内に巻回されて収納される。このように、電源スイッチ８２がオフに切り替えられることに応じてレンズ部１４及びモニタ６９が本体１１内に収納し、レンズ部１４及びモニタ６９を保護する。
【００１８】
電源スイッチ８２がオフからオンに切り替えられると、モニタ６９は、収納された状態から本体１１の開口であるスリット１１ａから繰り出される。繰り出されたモニタは、本体１１の表面に設けられた凹平面状のモニタ載置部６３の側面に形成された溝であるモニタガイド１１ｂ上を摺動し、映像の表示面Ｆが露出する（図１を参照）。電源スイッチ８２がオフからオンに切り替えられると、レンズ部１４も本体１１から出胴する。
【００１９】
図３は、巻取／繰出機構１５の斜視図である。巻取／繰出機構１５は、長尺状のモニタ６９の幅と略同一の幅を有し、その端部表面には円周方向に沿って略等間隔Ｌで突起状の凸部１５ａが設けられたスプロケットである。巻取／繰出機構１５の円筒中心を挿通する回転軸１５ｂには、駆動ギア１５ｃが取り付けられており、図示しない動力伝達機構１４２のギアと駆動ギア１５ｃとが噛合して、モータ１２２から回動力の伝達を受け、これにより回転軸１５ｂが回転してモニタ６９の巻き取り／繰り出しを行う。
【００２０】
図４は、モニタ６９の斜視図である。モニタ６９の一方の先端部ＢＤにはリーダ６８が貼付されている。リーダ６８の剛性はモニタ６９よりも高く、巻取／繰出機構１５による回転力がリーダ６８を介してモニタ６９に伝達されることでモニタ６９が巻き取られるか繰り出される。リーダ６８の長さは、巻取／繰出機構１５の外周長さに相当し、モニタ６９が巻取／繰出機構１５と直接接触して損傷するのを防ぐ。
【００２１】
モニタ６９及びリーダ６８の長軸方向に沿った両端部には細帯状の支持体６７が設けられている。支持体６７がリーダ６８に貼着されている第１部分６７−１には、略等間隔Ｌで孔状の凹部６７ａが設けられている。支持体６７がモニタ６９に貼着されている第２部分６７−２には凸部等は設けられていないが、モニタ６９の巻取／繰出に特に必要ある場合は設けてもよい。
【００２２】
図５は、支持体６７の断面図である。支持体６７の内部には、ワイヤ６０が挿通されており、ワイヤ６０の先端Ｅは支持体６７の先端に固定されている。ワイヤ６０にはモニタ６９の繰り出し方向Ｙ１と逆の方向Ｙ２に張力が加えられており、モニタ６９の撓みを除去する。この方向Ｙ２への張力は、モニタ６９の方向Ｙ１への繰り出し力よりも小さく、モニタ６９の方向Ｙ１への繰り出しに応じてワイヤ６０も共に繰り出される。ワイヤ６０の張力でモニタ６９の繰り出しが停止することはない。
【００２３】
図６は、モニタ６９が巻取／繰出機構１５に巻回される状態を示す斜視図である。巻取／繰出機構１５が図示Ｘ１方向に回転すると、支持体６７の凹部６７ａに巻取／繰出機構１５の凸部１５ａが嵌合することでリーダ６８に巻回力が伝達され、モニタ６９が巻取／繰出機構１５に巻き取られる。一方、巻取／繰出機構１５が図示Ｘ２方向に回転すると、巻取／繰出機構１５に巻回されたリーダ６８及びモニタ６９に弛みが生じる。さらに巻取／繰出機構１５が図示Ｘ２方向に回転すると、支持体６７の剛性により生じる回転モーメントによってモニタ６９に対し図示Ｙ１方向へ繰出力が加わり、モニタ６９が図示Ｙ方向に繰り出される。
【００２４】
図７は、図１のデジタルカメラ１０のＡ１−Ａ２に沿った断面図である。カメラ本体１１内部には、モニタ６９の巻き取り／繰り出しを行う巻取／繰出機構１５が設けられており、巻取／繰出機構１５のＸ２方向への回転により、モニタ６９がカメラ本体１１の背面Ｙ１方向に繰り出されるか、Ｘ１方向への回転により、カメラ本体１１内に巻き取られて収納される。支持体６７に挿通されたワイヤ６０は、ワイヤ巻取機構６１により巻回されることでモニタ６９の繰り出し方向Ｙ１と逆の方向Ｙ２に張力が加えられる。これにより、モニタ６９の巻回により生じた巻き癖を除去し、撓んだモニタ６９が本体１１と接触して損傷するのを防げる。
【００２５】
さらに、図８に示すように、モニタ６９の先端６９Ｅが正しくカメラ本体１１の外部に垂下して繰り出すよう、スリット１１ａの上方に、スリット１１ａから繰り出されたモニタ６９の先端Ｅを下方に案内するガイド部材６２を設けてもよい。
【００２６】
図９はデジタルカメラ１０の機能ブロック図である。同図において、中央処理装置（ＣＰＵ）１１２は、シャッターボタン８０、電源スイッチ８２、モード切替スイッチ８４、アスペクト比切替スイッチ８５や、十字キー、メニュー／実行ボタン、キャンセル／戻るボタン、表示ボタン、シフトボタン、表示切換ボタン、拡大表示ボタン、並びにＡＥロックの指示を入力するＡＥ固定ボタン等からなる操作部１５７からの入力に基づいてデジタルカメラ１０内の各回路を統括制御する。
【００２７】
カメラ１０は、インターネットなどのネットワークあるいはＵＳＢポートなどの各種通信手段と有線又は無線接続し、画像やプログラムなどの各種データの送受信を行う通信部１５６を備えている。
【００２８】
いま、モード切替スイッチ８４によって撮影モードが設定されると、ＣＰＵ１１２は、動画（スルー画）をモニタ６９に表示させ、撮影画角を確認可能にする。即ち、レンズ部１４を通過した被写体光は、撮像素子（ＣＣＤ）１２７の受光面上に結像する。ＣＣＤ１２７は、受光面に結像された被写体光をその光量に応じた量の信号電荷に変換する。このようにして蓄積された信号電荷は、ＣＰＵ１１２の指令に従いタイミングジェネレータ１２１から与えられる駆動パルスに基づいて信号電荷に応じた電圧信号（画像信号）として順次読み出される。
【００２９】
ＣＣＤ１２７から出力された信号はアナログ処理部（ＣＤＳ／ＡＭＰ）１２３に送られ、ここで画素ごとのＲ，Ｇ，Ｂ信号がサンプリングホールド（相関二重サンプリング処理）され、増幅された後、Ａ／Ｄ変換器１２４に加えられる。Ａ／Ｄ変換器１２４によってデジタル信号に変換された点順次のＲ，Ｇ，Ｂ信号は、画像入力コントローラ１２６を介してメモリ（ＳＤＲＡＭ）１２８に記憶される。尚、メモリ１２８は、画像データの一時記憶領域として利用されるとともに、プログラムの展開領域及びＣＰＵ１１２の演算作業用領域として利用される。
【００３０】
画像信号処理回路１３０は、メモリ１２８に記憶されたＲ，Ｇ，Ｂ信号をＣＰＵ１１２の指令に従って処理する。即ち、画像信号処理回路１３０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１１２からのコマンドに従ってメモリ１２８を活用しながら所定の信号処理を行う。
【００３１】
画像信号処理回路１３０に入力されたＲ、Ｇ、Ｂ信号は、輝度信号（Ｙ信号）及び色差信号（Ｃr,Ｃb 信号）に変換されるとともに、ガンマ補正等の所定の処理が施される。画像信号処理回路１３０で処理されたＹＣ信号はＶＲＡＭ１３２に格納される。
【００３２】
撮影画像をモニタ６９にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換してモニタ６９に出力する。
【００３３】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号がモニタ６９に供給されることにより、撮像中の映像がリアルタイムにモニタ６９に表示される。ユーザは、モニタ６９に表示される映像（スルー）によって撮影画角を確認できる。
【００３４】
十字キーの上キーでズームアップ又は下キーでズームダウンの操作が行われると、ＣＰＵ１１２は、当該操作に応じてモータドライバ１２０を制御し、モータ１２２を駆動させる。モータ１２２はＤＣモータが用いられ、モータドライバ１２０からモータ１２２に印加する電圧の極性を変えることにより、ズームレンズ１２をテレ方向又はワイド方向に駆動する。モータ１２２の回転動力は、動力伝達機構１４２を介してレンズ部１４に伝達され、レンズ部１４がカメラ本体１１内に沈胴し又はカメラ本体１１内から出胴することで、ズームレンズ１２がテレ方向又はワイド方向に移動して焦点距離が変更される。
【００３５】
ここで、シャッターボタン８０が半押しされると、ＡＥ及びＡＦ処理が開始される。即ち、ＣＣＤ１２７から出力された画像信号はＡ／Ｄ変換後に画像入力コントローラ１２６を介してＡＦ検出回路１３６並びにＡＥ／ＡＷＢ検出回路１３８に入力される。
【００３６】
ＡＥ／ＡＷＢ検出回路１３８は、１画面を複数のエリア（例えば、１６×１６）に分割し、分割エリアごとにＲＧＢ信号を積算する回路を含み、その積算値をＣＰＵ１１２に提供する。ＣＰＵ１１２は、ＡＥ／ＡＷＢ検出回路１３８から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１１２はタイミングジェネレータ１２１を介してＣＣＤ１２７の電子シャッタを制御するとともに、モータ１２２の動力を伝達する動力伝達機構１４２を介して絞り１１６を制御して適正な露光量を得る。
【００３７】
また、ＡＥ／ＡＷＢ検出回路１３８は、自動ホワイトバランス調整時には、分割エリアごとにＲＧＢ信号の色別の平均積算値を算出し、その算出結果をＣＰＵ１１２に提供する。ＣＰＵ１１２は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００３８】
また、ＡＦ制御は、例えば画像信号のＧ信号の高周波成分が極大になるようにレンズ部１４の撮像レンズ１１８を移動させるコントラストＡＦが適用される。即ち、ＡＦ検出回路１３６は、Ｇ信号の高周波成分のみを通過させるハイパスフィルタ、絶対値化処理部、モニタ６９の表示画面内（例えば、画面中央部）に予め設定されているフォーカス対象エリア内の信号を切り出すＡＦエリア抽出部、及びＡＦエリア内の絶対値データを積算する積算部から構成される。
【００３９】
ＡＦ検出回路１３６で求めた積算値のデータはＣＰＵ１１２に通知される。ＣＰＵ１１２は、モータドライバ１２０と動力伝達機構１４２を制御して撮影レンズ１１８を移動させながら、複数のＡＦ検出ポイントで焦点評価値（ＡＦ評価値）を演算し、評価値が極大となるレンズ位置を合焦位置として決定する。そして、求めた合焦位置に撮影レンズを移動させるようにモータドライバ１４２を制御する。尚、ＡＦ評価値の演算はＧ信号を利用する態様に限らず、輝度信号（Ｙ信号）を利用してもよい。
【００４０】
上記ＡＥ／ＡＦ処理が行われ、シャッターボタン８０が全押しされることによって記録用の撮影動作がスタートする。Ｓ２オンに応動して取得された画像データは画像信号処理回路１３０において輝度／色差信号（Ｙ／Ｃ信号）に変換され、ガンマ補正等の所定の処理が施された後、メモリ１２８に格納される。
【００４１】
メモリ１２８に格納されたＹ／Ｃ信号は、圧縮伸長処理回路１４４によって所定のフォーマットに従って圧縮された後、メディアコントローラ１４６を介して記録メディア４０にExif（Exchangeable Image File Format）ファイルとして記録される。画像はExifファイルのデータ部分に記録され、撮影条件などの付帯情報はExifファイルのヘッダ部分に設けられたタグに記録される。
【００４２】
カメラ１０にはアスペクト比切替スイッチ８５が設けられており、シャッターボタン８０の全押し待機中に通常撮影モードとパノラマ撮影モードとを切り替えて撮影を行なうことができる。アスペクト比切替スイッチ８５により通常撮影モードに切り替えられてシャッターボタン８０が全押しされると、フルサイズの画像（アスペクト比１．５）を記録する。一方、アスペクト比切替スイッチ８５によりパノラマ撮影モードに切り替えられてシャッターボタン８０が全押しされると、フルサイズの画像の上下の所定部分を遮光したパノラマサイズの画像（アスペクト比３．０）を記録する。アスペクト比切替スイッチ８５で相互に切り替え可能なアスペクト比は、上記のようなフルサイズやパノラマサイズに限らず、その他のアスペクト比であってもよい。
【００４３】
モード切替スイッチ８４により再生モードが選択されると、記録メディア４０に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のカラー複合映像信号を作成し、これをモニタ６９に出力する。これにより、モニタ６９には記録メディア４０に記録されている最終コマのコマ画像が表示される。
【００４４】
その後、順コマ送りスイッチ（図示せず）が押されると、順方向にコマ送りされ、逆コマ送りスイッチ（図示せず）が押されると、逆方向にコマ送りされる。そして、コマ送りされたコマ位置の画像ファイルが記録メディア４０から読み出され、上記と同様にしてコマ画像がモニタ６９に再生される。尚、最終コマのコマ画像が表示されている状態で順方向にコマ送りされると、記録メディア４０に記録されている１コマ目の画像ファイルが読み出され、１コマ目のコマ画像がモニタ６９に再生される。
【００４５】
カメラ１０の各部への電源供給は主要電源１６４により行われる。残容量検知部１６５は、主要電源１６４の電源電圧の測定等により残容量を検知し、主要電源１６４の残容量が所定の閾値を下回ると、バックアップ用電源１６６による電源供給に切り替える。バックアップ用電源１６６は、ストロボ等の高負荷には電源供給せず、省電力で動作するＣＰＵ１１２やＳＲＡＭ１６７等に電源供給し、必要な情報のバックアップをする。
【００４６】
モータ１２２の回転動力は、動力伝達機構１４２を介して巻取／繰出機構１５及びワイヤ巻取機構６１にも伝達される。巻取／繰出機構１５によるモニタ６９の本体１１外部への繰出量は、ＣＰＵ１１２によって決定され、ＣＰＵ１１２がモータドライバ１２０及び動力伝達機構１４２を制御し、決定した繰出量（以下目標繰出量という）だけ巻取／繰出機構１５がモニタ６９を本体１１外部へ繰り出すようモータ１２２を回転駆動させる。
【００４７】
なお、ワイヤ巻取機構６１は動力伝達機構１４２からの動力で巻き取るのではなく、ワイヤ巻取機構６１自体にバネなどの自力で巻き取る機構を設けてもよい。
【００４８】
図９の構成では、モータ１２２の動力を、動力伝達機構１４２を介して巻取／繰出機構１５、レンズ部１４又は絞り１１６に伝達する構成であるが、巻取／繰出機構１５、レンズ部１４又は絞り１１６を駆動する動力を別個にしてもよい。例えば、図１０のように、巻取／繰出機構１５を駆動する動力はモータ１２２ａから動力伝達機構１４２ａを介して供給し、レンズ部１４又は絞り１１６を駆動する動力はモータ１２２ｂからから動力伝達機構１４２ｂを介して供給し、モータ１２２ａ、モータ１２２ｂはそれぞれモータドライバ１２０ａ、１２０ｂにより独立して駆動されるような構成にしてもよい。
【００４９】
ただし、図１０の構成では、巻取／繰出機構１５を駆動するモータ１２２ａ、レンズ部１４を駆動するモータ１２２ｂをそれぞれ独立して設ける必要があるため、伝達／解除機構１４２−１及び１４２−２を設ける図９の構成に比してコストアップとなる可能性があり、その点では図９の構成の方が好ましいといえる。
【００５０】
なお、図示しないが、モータ１２２の回転軸１２２ａには白黒パターンの貼付された円盤状のロータリーエンコーダが取り付けられている。モータ１２２の回転によるロータリーエンコーダの白黒模様の切り替わりを図示しないフォトインタラプタによって検出することでＣＰＵ１１２が回転軸１２２ａの合計回転角度を算出し、これに基づいて現在のモニタ６９の繰出量（以下現在繰出量という）を算出する。
【００５１】
ＣＰＵ１１２の目標繰出量はＥＥＰＲＯＭ１３３に記憶されている。好ましくは、モード切替スイッチ８４により設定される撮影モードに対応する第１の目標繰出量又は再生モードに対応した第２の目標繰出量を記憶させておく。
【００５２】
モード切替スイッチ８４から撮影モードが設定された場合、ＣＰＵ１１２は巻取／繰出機構１５がモニタ６９を第１の目標繰出量だけ繰り出すようモータ１２２を回転駆動させるようモータドライバ１２０を制御する。第１の目標繰出量は、スルー画像を表示させるのに適したモニタ６９の面積である。
【００５３】
モード切替スイッチ８４により再生モードが設定された場合、ＣＰＵ１１２は巻取／繰出機構１５がモニタ６９を第２の目標繰出量だけ繰り出すようモータ１２２を回転駆動させるようモータドライバ１２０を制御する。第２の目標繰出量は、撮影済みの画像やその縮小画像（サムネイル画像）を表示するのに適したモニタ６９の面積である。
【００５４】
また、好ましくは、アスペクト比切替スイッチ８５により設定される画像のアスペクト比に対応する目標繰出量をＥＥＰＲＯＭ１３３に記憶させておく。通常撮影モードのアスペクト比１．５に対応する目標繰出量は、本体１１外部に露出したモニタ６９のアスペクト比が１：１．５となる。一方、パノラマ撮影モードのアスペクト比３．０に対応する目標繰出量は、本体１１外部に露出したモニタ６９のアスペクト比が１：３．０となる。アスペクト比切替スイッチ８５により通常撮影モード又はパノラマ撮影モードが設定されると、モニタ６９のアスペクト比が設定された撮影モードのアスペクト比に適合するように繰り出される。このため、モニタ６９一杯にスルー画像を映し出すことができる。
【００５５】
電源スイッチ８２がオンにされたとき、ＣＰＵ１１２は巻取／繰出機構１５がモニタ６９を予めＥＥＰＲＯＭ１３３に記憶されたデフォルトの目標繰出量だけ繰り出すようモータ１２２を回転駆動させるようにしてもよい。
【００５６】
電源スイッチ８２がオンにされると、レンズ部１４はカメラ本体１１に出胴させる動作も行うが、レンズ部１４の出胴とモニタ６９の繰り出しのいずれを先に行ってもよい。
【００５７】
また、電源スイッチ８２をオフにする際、レンズ部１４の沈胴とモニタ６９の巻き取りが行われるが、レンズ部１４の沈胴とモニタ６９の巻き取りのいずれを先に行ってもよい。ワイヤ巻取機構６１は、モニタ６９の巻き取りに応じ、ワイヤ６０を巻き取る。
【００５８】
＜第２実施形態＞
撓みを除去する機構は上記に限られない。例えば、以下に説明するように、繰り出されたモニタ６９を表示面の裏面から支持する支持板１４を設ける態様が考えられる。
【００５９】
図１１は支持板１４の一例を示す断面図である。支持板１４は、板状の板部１４ａの一方の面の中央線に沿って設けられた内フランジ１４ｂ、内フランジ１４ｂが設けられた板部１４ｂの面と同面の両側部に内フランジ１４ｂと略平行に設けられた外フランジ１４ｃ、内フランジ１４ｂ及び外フランジ１４ｃとは逆の面に設けられた係合部１４ｄを備えている。内フランジ１４ｂはカメラ本体１１に設けられた溝である内ガイドレール１２上を摺動可能に嵌合する。両側部の外フランジ１４ｃはそれぞれカメラ本体１１に設けられた溝である外ガイドレール１３上を摺動可能に嵌合する。
【００６０】
図１２は支持板１４の上面図である。係合部１４ｄは、板部１４ａの面上の中央端部に設けられた立法体状の部材である。
【００６１】
図１３は、支持板１４を装着可能に構成されたカメラ本体１１の構造を示す斜視図である。カメラ本体１１の背面上には凹平面状のモニタガイド載置部６９ｂが設けられている。モニタガイド載置部６９ｂには、溝状の内ガイドレール１２及び外ガイドレール１３が形成されている。モニタガイド載置部６９ｂには、内フランジ１４ｂ及び外フランジ１４ｃがそれぞれ内ガイドレール１２及び外ガイドレール１３に嵌合されるように載置される。モニタガイド載置部６９ｂに載置された支持板１４には、モニタ６９の繰り出し方向Ｙ１又は巻き取り方向Ｙ２に向かってモニタガイド載置部６９ｂ上を摺動可能である。本体１１には、モニタガイド載置部６９ｂから離脱しないような図示しない離脱防止機構、及びモニタ６９の繰り出し力が与えられない限り支持板１４の繰り出し方向Ｙ１への移動を規制する移動規制部が設けられている。支持板１４は凹平面に当接することによりＹ２方向への移動を規制されている。支持板１４が凹平面に当接する位置を初期位置という。支持板１４の摺動力は巻取／繰出機構１５の回動と機械的に連動するラックアンドピニオン機構によって与えられ、巻取／繰出機構１５が方向Ｘ２に回転すると支持板１４は方向Ｙ１に移動し、巻取／繰出機構１５が方向Ｘ１に回転すると支持板１４は方向Ｙ２に移動する。
【００６２】
図１４は支持板１４が初期位置で静止した状態を示す断面図である。
【００６３】
図１５はモニタ６９の端部６９Ｅに設けられた係合爪６９ａの構造を示す。係合爪６９ａはテーパ状に形成されており、モニタ６９が方向Ｙ１に繰り出されると、係合部１４ｃの凹部１４ｅに挿入されて係合される。
【００６４】
図１６に示すように、モニタ６９の係合爪６９ａは、モニタ６９がモニタガイド載置部６９ｂの全体を覆うまでは係合部１４ｃとは挿入されない。
【００６５】
図１７に示すように、モニタ６９が係合爪６９ａと係合部１４ｃが係合する位置まで繰り出すと、図１８及び１９に示すように、本体１１に設けられた凸状の移動規制部１１ｃを超えて支持板１４が方向Ｙ１に繰り出される。支持板１４はモニタガイド載置部６９ｂの凹平面からは離脱しない。モニタ６９は、係合爪６９ａと係合部１４ｃが係合しているため、支持板１４の繰り出しに連動して方向Ｙ１に繰り出され、係合爪６９ａに加わる張力によってモニタ６９の弛み・撓みが除去される。
【００６６】
一方、図２０に示すように、モニタ６９が方向Ｙ２に巻き取られると、この巻き取りに連動して支持板１４が方向Ｙ２に移動し初期位置に戻る。支持板１４が初期位置に戻った状態でさらにモニタ６９が方向Ｙ２に巻き取られると、係合爪６９ａが凹部１４ｅと当接することで凹部１４ｅが上部に持ち上がって開口が拡大し、係合爪６９ａと凹部１４ｅとの係合が解除される。これによりモニタ６９がさらに方向Ｙ２に巻き取り可能となる。
【００６７】
＜第３実施形態＞
モニタ６９の撓みを除去する支持体をモニタ６９に貼り付けてもよい。例えば、図２１に示すように、モニタ６９の表示面の裏面全体に渡って薄板状の第２の支持体６６を張り付ける。この第２の支持体６６は、鋼板・ステンレス鋼板等の硬質金属で形成した、復元力に富んだ薄板である。第２の支持体６６は、モニタ６９とともに巻取／繰出機構１５に巻き取られるが、この巻き取り前の無負荷状態においては、繰り出し方向Ｙ１に直交する断面が復元力により湾曲状に反り、長軸方向即ちモニタ６９の繰り出し方向Ｙ１に直線化しようとする。これにより、第２の支持体６６に張り付けられたモニタ６９は、繰り出し方向Ｙ１に引っ張られ、撓みが除去される。
【００６８】
第２の支持体６６の反る方向は特に限定されず、図２１のようにモニタ６９の表示面が内側に反るように構成してもよいし、図２２のようにモニタ６９の表示面が外側に反るように構成してもよい。
【００６９】
なお、第２の支持体６６は弾性を有するため、モニタ６９とともに巻取／繰出機構１５に重ねて巻き取られると、自己反発力に逆らって断面は直線状となり、巻き尺状に容易に巻回される。
【００７０】
＜第４実施形態＞
モニタ載置部６３の側面にモニタ６９の撓みを除去する機構を設けてもよい。即ち、図２３に示すように、凹平面状のモニタ載置部６３の側面に溝状のモニタガイド６３ａを設ける。図２４に示すように、モニタガイド６３ａには細帯状の支持体６７を嵌合した上でモニタガイド１１ｂに沿ってモニタ６９を繰り出せば、支持体６７の撓みがモニタガイド６３ａによって規制されることでモニタ６９の撓みが解消される。
【図面の簡単な説明】
【００７１】
【図１】本発明の好ましい実施形態に係るデジタルカメラの背面側斜視図
【図２】モニタがカメラ本体に収納された状態の背面側斜視図
【図３】巻取／繰出機構の斜視図
【図４】モニタの斜視図
【図５】支持体の断面図
【図６】モニタが巻取／繰出機構に巻き取られた状態の斜視図
【図７】デジタルカメラの断面図
【図８】ガイド部材の構成図
【図９】デジタルカメラのブロック図
【図１０】デジタルカメラの他の一例のブロック図
【図１１】支持板の断面図
【図１２】支持板の上面図
【図１３】支持板を装着可能に構成されたカメラ本体の構造を示す斜視図
【図１４】支持板が初期位置で静止した状態を示す断面図
【図１５】モニタの端部に設けられた係合爪の構造を示す図
【図１６】モニタが係合爪と係合部が係合する位置まで繰り出した状態を示す斜視図
【図１７】係合爪と係合部が係合した状態を示す断面図
【図１８】支持板がモニタとともに繰り出された状態を示す斜視図
【図１９】支持板がモニタとともに繰り出された状態を示す断面図
【図２０】係合爪と係合部との係合が解除される状態を示す断面図
【図２１】表示面が凹状に反るように構成された支持体の断面図
【図２２】表示面が凸状に反るように構成された支持体の断面図
【図２３】モニタガイドの設けられた本体の斜視図
【図２４】モニタガイドの断面図
【符号の説明】
【００７２】
１０：デジタルカメラ、１１：カメラ本体、１４：レンズ部、１５：巻取／繰出機構、６９：モニタ、８０：シャッターボタン、８２：電源スイッチ、８４：モード切替スイッチ、８５：アスペクト比切替スイッチ、１２０：モータドライバ、１２２：モータ、１４２：動力伝達機構
【図１】
2006229906.tif 000003
【図２】
2006229906.tif 000004
【図３】
2006229906.tif 000005
【図４】
2006229906.tif 000006
【図５】
2006229906.tif 000007
【図６】
2006229906.tif 000008
【図７】
2006229906.tif 000009
【図８】
2006229906.tif 000010
【図９】
2006229906.tif 000011
【図１０】
2006229906.tif 000012
【図１１】
2006229906.tif 000013
【図１２】
2006229906.tif 000014
【図１３】
2006229906.tif 000015
【図１４】
2006229906.tif 000016
【図１５】
2006229906.tif 000017
【図１６】
2006229906.tif 000018
【図１７】
2006229906.tif 000019
【図１８】
2006229906.tif 000020
【図１９】
2006229906.tif 000021
【図２０】
2006229906.tif 000022
【図２１】
2006229906.tif 000023
【図２２】
2006229906.tif 000024
【図２３】
2006229906.tif 000025
【図２４】
2006229906.tif 000026